(57)【要約】【課題】静止画像データや映像データ等の全体をスクロール等をすることなく、一度に見ることができる大型の表示部を備えた携帯型電子機器を提供する。【解決手段】ディスクカートリッジ２が装着される装着部１３が設けられ、主面部がこのディスクカートリッジ２の主面部と略同じ大きさの機器本体と、機器本体に設けられ、装着部１３に装着されたディスクカートリッジ２に記録された情報信号を読み出す光ピックアップ１３ｂと、光ピックアップ１３ｂで装着部１３に装着されたディスクカートリッジ２より読み出した情報信号の再生処理を行う再生処理部１３８と、装置本体の主面部の略全領域に亘って設けられ、光ピックアップ１３ｂの動作に応じて再生処理部１３８で信号処理された可視データを表示する表示部１４と、装着部１３に装着されたディスクカートリッジ２に対する再生動作に関連する操作信号を入力する操作部１５とを備える。【選択図】  図２
2004335034.tif 000002
【特許請求の範囲】
【請求項１】
記録媒体が装着される装着部が設けられ、主面部がこの記録媒体の主面部と略同じ大きさの機器本体と、
上記機器本体に設けられ、上記装着部に装着された記録媒体に記録された情報信号を読み出す再生部と、
上記再生部で上記装着部に装着された記録媒体より読み出した情報信号の再生処理を行う信号処理部と、
上記機器本体の主面部の略全領域に亘って設けられ、上記再生部の動作に応じて上記信号処理部で信号処理された可視データを表示する表示部と、
上記装着部に装着された記録媒体に対する再生動作に関連する操作信号を入力する操作部とを備える携帯型電子機器。
【請求項２】
上記記録媒体は、ディスクカートリッジであり、上記機器本体は、その主面部が上記ディスクカートリッジの主面と略同じ大きさに形成されている請求項１記載の携帯型電子機器。
【請求項３】
上記操作部は、上記表示部が設けられた機器本体の主面部に設けられている請求項１記載の携帯型電子機器。
【請求項４】
上記操作部は、有線又は無線で上記機器本体に接続される遠隔操作装置に設けられる請求項１記載の携帯型電子機器。
【請求項５】
更に、上記機器本体には、上記信号処理部で信号処理された音声データを放音する電気音響変換素子が接続される請求項１記載の携帯型電子機器。
【請求項６】
上記信号処理部は、複数の記録フォーマットの情報信号の信号処理を行う請求項１記載の携帯型電子機器。
【請求項７】
更に、上記装着部に装着された記録媒体に対して情報信号を記録する記録部を備える請求項１記載の携帯型電子機器。
【請求項８】
上記装着部には、外形形状の異なる複数種類の記録媒体が装着可能である請求項１記載の携帯型電子機器。
【請求項９】
上記装着部には、所定の外形形状の記録媒体に限って装着を許可する規制部が設けられている請求項１記載の携帯型電子機器。
【発明の詳細な説明】
【０００１】
【発明の属する技術分野】
本発明は、記録媒体と略同じ大きさの機器本体の装着部に装着された記録媒体に記録された情報信号を再生すると共に、再生する情報信号に応じた可視データを表示部に表示する携帯型の電子機器に関する。
【０００２】
【従来の技術】
携帯型電子機器として、記録媒体に情報信号を記録し又は記録媒体に記録された情報信号を再生する携帯型の記録再生装置がある。例えば、光ディスクを記録媒体とするディスクカートリッジの携帯型の記録再生装置は、一主面部がディスクカートリッジの主面部と略同じ大きさの装置本体を有し、この装置本体内に、ディスクカートリッジが装着される装着部、光ディスクに対して光ビームを照射し反射された戻りの光ビームを検出する光ピックアップ、光ディスクに対して磁界を印加する磁気ヘッド、入力された操作信号等に応じて全体を制御する制御回路等が組み込まれた回路基板等が配設されている。装置本体には、表面に、小型の表示部、再生開始操作等を行うための操作部等が設けられ、更には、遠隔操作装置やイヤホン、ヘッドフォン等が有線で接続されている。
【０００３】
このディスクカートリッジの光ディスクには、通常、楽曲データ等オーディオデータと、記録されたオーディオデータのタイトル等のテキストデータが記録されている。
【０００４】
このディスクカートリッジの記録再生装置は、装着部にディスクカートリッジが装着され、再生開始操作がされると、光ディスクを回転し、回転する光ディスクに対して光ビームを照射し反射した戻りの光ビームを検出することによって光ディスクに記録されている情報信号の読み出しを行い、再生処理を行った後、イヤホン、ヘッドフォン等から可聴音を放音する。また、表示部に、再生中のオーディオデータのタイトル、再生時間、トラックナンバ等を表示する。この表示部は、専ら、再生中のオーディオデータに関連する少量のテキストデータを表示するものであるから、特に大きく設ける必要はない。そこで、機器本体には、機器本体の小型化、軽量化のため、ＬＣＤ（Ｌｉｑｕｉｄ  Ｃｒｙｓｔａｌ  Ｄｉｓｐｌａｙ）等の小型の表示部が機器本体の主面の一部に設けられている。
【０００５】
【発明が解決しようとする課題】
ところで、ディスクカートリッジには、オーディオデータやこのオーディオデータに関連したテキストデータの他にも、静止画像データ、映像データ等を記録することもでき、更に、ゲームソフト等のプログラムを記録することも可能である。
【０００６】
しかしながら、静止画像データや映像データは、携帯型の記録再生装置に設けられた小型の表示部で画像全体を表示することはできない。小型の表示部で画像全体を見るには、画像をスクロール等する必要があり、面倒である。
【０００７】
また、ゲームソフト等は、視覚的又は視聴覚的効果を生じさせる方法で表現され、映像又は画像が予め用意された映像又は画像の範囲の中からユーザの操作によって選択され決定されるものであり、静止画像データや映像データと同様に、小型の表示部では画像全体を一度に表示することはできない。小型の表示部の記録再生装置では、ユーザが画像全体を一度に見ることができないことから、操作部を用いてゲームの進行に応じて選択決定することも困難である。
【０００８】
本発明は、以上のような問題点に鑑みてなされたものであり、その目的は、機器本体に大型の表示部を設け、静止画像データや映像データ等の全体をスクロール等をすることなく、一度に見ることができる再生機能を備えた新規な携帯型電子機器を提供することにある。
【０００９】
本発明の他の目的は、静止画像データや映像データ等を見ながら操作を容易に行うことができる携帯型電子機器を提供することにある。
【００１０】
更に、本発明の他の目的は、異なる記録フォーマットで情報信号が記録された複数種類の記録媒体を再生することができる携帯型電子機器を提供することにある。
【００１１】
更に、本発明の目的は、類似した記録媒体が存在するときに、特定種類の記録媒体に限って再生を許可する携帯型電子機器を提供することにある。
【００１２】
更に、本発明の目的は、記録媒体に情報信号を記録することができる携帯型電子機器を提供することにある。
【００１３】
【課題を解決するための手段】
本発明に係る携帯型電子機器は、上述した課題を解決すべく、記録媒体が装着される装着部が設けられ、主面部がこの記録媒体の主面部と略同じ大きさの機器本体と、機器本体に設けられ、装着部に装着された記録媒体に記録された情報信号を読み出す再生部と、再生部で装着部に装着された記録媒体より読み出した情報信号の再生処理を行う信号処理部と、機器本体の主面部の略全領域に亘って設けられ、再生部の動作に応じて信号処理部で信号処理された可視データを表示する表示部と、装着部に装着された記録媒体に対する再生動作に関連する操作信号を入力する操作部とを備えることにより、表示部に表示された静止画像や映像を見ることができるようにし、更には、表示部に表示された映像等を見ながら操作部を容易に操作できるようにする。
【００１４】
【発明の実施の形態】
以下、本発明に係る携帯型電子機器が適用された記録再生装置について、図面を参照して説明する。
【００１５】
図１に示すように、本発明を適用した記録再生装置１０は、記録した情報信号に応じたピットパターンが形成された再生専用の光ディスクや情報信号を記録することができる光磁気ディスクを回転可能に収納した第１及び第２のディスクカートリッジ１，２を記録媒体に用いる携帯型の装置であり、第１及び第２のディスクカートリッジ１，２に保存された静止画像データ、映像データ、プログラム等の情報信号を再生し表示部に表示する装置である。例えば、第１のディスクカートリッジ１は、内部にオーディオデータ等が記録された標準的な記録密度の再生専用の光ディスクやユーザによって所望のオーディオデータが記録された標準的な記録密度の光磁気ディスクを記録媒体に用いる。また、第１のディスクカートリッジ１には、更に、カートリッジ本体に設けられた識別部によって識別される従来の光磁気ディスクより高密度に情報信号を記録することができる光磁気ディスクが記録媒体に用いられる。これに対して、第２のディスクカートリッジ２は、記録再生装置１への挿入端が略円弧状に形成されており、第１のディスクカートリッジ１と記録再生装置１への挿入端側の形状を異にしている。この第２のディスクカートリッジ２には、第１のディスクカートリッジ１に用いる従来の再生専用の光ディスクより高密度に情報信号がピットパターンによって記録されており、オーディオデータやテキストデータだけではなく、ゲームソフト等のプログラムや映像データや静止画像データが記録されている。第２のディスクカートリッジ２は、既存の第１のディスクカートリッジ１と形状を変更するすることによって、記録媒体の種類をユーザが目視で容易に識別することができるようにしている。なお、以下、第１及び第２のディスクカートリッジ１，２に用いられる記録媒体を単に、光ディスクともいう。
【００１６】
記録再生装置１０は、以上のような形状の異なる２種類の第１及び第２のディスクカートリッジ１，２が装着可能な装置であって、例えば、第１のディスクカートリッジ１を再生することによって、オーディオデータ等を聞くことができ、更には、静止画像データ、映像データ、ゲームソフト等が記録された第２のディスクカートリッジ２を再生することによって、表示部に表示された映像又は静止画像を見ることができ、更に、ゲームを楽しむことができる。
【００１７】
この記録再生装置１０を図２を参照して説明する。この記録再生装置１０は、少なくとも一方の主面部１１ａが記録媒体となる第１及び第２のディスクカートリッジ１，２の主面部よりやや大きく形成された全体が略矩形をなす装置本体１１を有する。この装置本体１１内には、第１及び第２のディスクカートリッジ１，２の挿脱がされる挿脱口１２が設けられ、内部には、挿脱口１２から挿入された第１及び第２のディスクカートリッジ１，２が装着される装着部１３、挿脱口１２から挿入された第１及び第２のディスクカートリッジ１，２を保持し、保持した第１及び第２のディスクカートリッジ１，２を装着部１３に装着するホルダ等が配設されている。
【００１８】
装着部１３には、第１及び第２のディスクカートリッジ１，２を装着部１３に対して垂直方向及び水平方向に位置決めするための複数の位置決め突起が設けられている。装着部１３は、位置決め突起によって位置決め保持された第１及び第２のディスクカートリッジ１，２の記録再生を行うための記録再生部として、装着された第１及び第２のディスクカートリッジ１，２の光ディスクを回転するディスク回転駆動機構１３ａ、光ディスクに光ビームを照射し光ディスクで反射された戻りの光ビームを検出する光ピックアップ１３ｂ、情報信号の記録時に光ディスクに対して磁界を印加する磁気ヘッド１３ｃ等が配設されている。ディスク回転駆動機構１３ａは、駆動源となるスピンドルモータ、このスピンドルモータのスピンドルに設けられ、光ディスクの中央に設けられたクランピングプレートを磁気吸引するディスクテーブル等を有している。また、光ピックアップ１３ｂは、光源となる半導体レーザ、光ディスクの信号記録面に半導体レーザより出射された光ビームを集光する対物レンズ、光ディスクの信号記録面で反射された戻りの光ビームを検出する光検出器等を備える。この光ピックアップは、モータを駆動源とするスレッド機構によって、光ディスクの径方向に移動される。この光ピックアップには、光ディスクを挟んで対物レンズと対向するように磁気ヘッド１３ｃが取り付けられている。
【００１９】
カートリッジに収納された光ディスクは、ディスク回転駆動機構１３ａにより回転されると、光ピックアップ１３ｂより半導体レーザから出射された光ビームが対物レンズによって集光され照射される。光ピックアップ１３ｂは、光ディスクの信号記録面で反射された戻りの光ビームを光検出器で検出することによって、光ディスクに記録されている情報信号を再生すると共に、トラッキングエラー信号、フォーカスエラー信号、アドレス信号等を抽出する。情報信号の再生時は、磁気ヘッド１３ｃは光ディスクから離間しており、光ピックアップ１３ｂの光検出器で検出されたＲＦ信号をデコードすることによって、静止画像データ、映像データ、プログラム等の情報信号を再生し表示部に表示すると共に、静止画像データ、映像データ、プログラム等に関連した音声信号、オーディオデータ等を可聴音に変換して出力する。また、情報信号の記録時は、磁気ヘッド１３ｃが光ディスクに近接され、光ビームによって加熱された領域に記録する情報信号に応じて磁界が印加される。
【００２０】
装置本体１１の一方の主面部１１ａは、上述のように第１及び第２のディスクカートリッジ１，２の主面と略同じ大きさに形成されており、そのほぼ全領域に、表示部１４が設けられている。この表示部１４は、例えばＬＣＤ（Ｌｉｑｕｉｄ  Ｃｒｙｓｔａｌ  Ｄｉｓｐｌａｙ）で形成されている。表示部１４は、第１及び第２のディスクカートリッジ１，２に記録されたオーディオデータを再生するときには再生中のオーディオデータのタイトル等のテキストデータが表示され、更に、静止画像データ、映像データを再生するときには再生中の静止画や映像が表示され、更に、プログラムを実行しているときには実行中のプログラムに関連した静止画像や映像が表示される。特に、ゲームソフトを実行しているときには、ゲームソフト中の予め用意された映像又は画像からユーザの操作によって選択決定された映像又は画像が表示される。
【００２１】
この表示部１４の近傍、例えば下側には、装置本体１１を操作するための操作部１５が設けられている。この操作部１５は、押し釦でなる十字キー１５ａや複数の丸釦１５ｂで構成されており、これらのキー１５ａ，１５ｂは、例えばゲームソフトを再生しているとき、そのゲームの進行に応じて表示部１４に表示されたキャラクターを上下左右に移動させ、また、ゲームの進行を選択決定する。更に、装置本体１１には、図示しないが側面等に再生開始釦、記録開始釦、記録再生停止釦、メニュー選択釦等が設けられている。
【００２２】
装置本体１１には、装置本体１１を遠隔操作するための遠隔操作装置１６がケーブル１７によって電気的に接続されている。この遠隔操作装置１６は、装置本体１１の基本的操作を行うための操作部１６ａが設けられ、例えば再生開始釦、記録開始釦、記録再生停止釦等が設けられている。また、更に、操作部１６ａとして、回転操作部が設けられ、例えばトラックジャンプ等の操作を行うことができる。この記録再生装置１では、例えばゲームソフトを再生しているとき、この遠隔操作装置１６に設けられたこれらの操作部１６ａを用いることによって、例えば装置本体１１の表示部１４に表示された画像を見ながら、操作信号を入力することができる。また、遠隔操作装置１６には、小型の表示部１６ｂが設けられている。この小型の表示部１６ｂは、例えばＬＣＤ（Ｌｉｑｕｉｄ  Ｃｒｙｓｔａｌ  Ｄｉｓｐｌａｙ）で構成され、例えばオーディオデータを再生しているとき、そのタイトルや再生時間やトラックナンバ等の基本的情報をテキスト表示する。なお、遠隔操作装置１６は、ケーブル１７を用いることなく、装置本体１１と無線でデータの送受信を行うようにしてもよい。
【００２３】
この遠隔操作装置１６ｂには、更に、音声データを可聴音で出力するための電気音響変換素子となるイヤホン１８がケーブル１９を介して接続されている。ユーザは、イヤホン１８を耳介に装着することによって、再生中の音声データを聞くことができる。なお、電気音響素子としては、イヤホン１８の他に、ヘッドフォン等を用いるようにしてもよい。また、イヤホン１８は、ケーブル１９を使用することなく、無線で装置本体１１と接続されてもよく、また、直接装置本体１１にケーブル１９によって接続されていてもよい。
【００２４】
このように構成された記録再生装置１に用いる第１のディスクカートリッジ１について説明すると、図３に示すように、この第１のディスクカートリッジ１は、上下一対のハーフを結合してなる略矩形のカートリッジ本体１ａを有し、このカートリッジ本体１ａ内に標準的な記録密度でピットパターンによりオーディオデータ等の情報信号が記録された再生専用の光ディスク又は標準的な記録密度でオーディオデータ等を記録することができる書換可能な光磁気ディスク、この光磁気ディスクより高密度にオーディオデータ、静止画像データ、映像データ等を記録することができる書換可能な光磁気ディスク３ａ（以下単に第１の光ディスク３ａともいう。）が回転可能に収納される。この第１の光ディスク３ａは、中央部にクランピングプレート４が設けられており、記録再生装置１０のディスク回転駆動機構を構成するディスクテーブルにクランピングプレート４が磁気吸引されることによって、ディスクテーブルにセンタリングが図られた状態で装着される。
【００２５】
略矩形をなすカートリッジ本体１ａは、略中央部から一側縁に亘って一側縁の略中央部に記録再生用の開口部５ａ，５ｂが設けられている。記録再生用の開口部５ａ，５ｂは、光ディスク２ａの信号記録領域の一部を径方向に亘って外部に臨ませる。上ハーフ側の記録再生用の開口部５ａからは、記録再生装置１０の記録部となる磁気ヘッド１３ｃが進入し、また、下ハーフ側の記録再生用の開口部５ｂからは、光ピックアップ１３ｂが進入する。また、カートリッジ本体１ａには、下ハーフ側の略中央に、クランピングプレート４を外部に臨ませ、ディスクテーブルを進入可能とする中央開口部６が設けられている。なお、カートリッジ本体１ａには、再生専用の光ディスクが収納されているとき、情報信号を記録するための磁気ヘッドは必要ないことから、上ハーフ側の記録再生用の開口部５ａは設けられていない。
【００２６】
カートリッジ本体１ａの一側縁側には、記録再生用の開口部５ａ，５ｂを開閉するシャッタ部材７が一側縁１ｂに沿って移動可能に取り付けられている。シャッタ部材７は、記録再生装置１０に挿入されるときに限って記録再生用の開口部５ａ，５ｂを開放し、その他の非使用時には、記録再生用の開口部５ａ，５ｂを閉塞し、カートリッジ本体１ａ内の第１の光ディスク３ａに塵埃等の異物が付着しないようにしている。
【００２７】
以上のように構成される第１のディスクカートリッジ１は、シャッタ部材７が取り付けられたカートリッジ本体１ａの一側縁１ｂとは直交する他側縁１ｃから記録再生装置１０の挿脱口１２に挿入される。第１のディスクカートリッジ１は、記録再生装置１０の挿脱口１２に挿入されると、シャッタ部材７が第１のディスクカートリッジ１の記録再生装置１０への挿入方向と同じ方向にカートリッジ本体の一側縁１ｂに沿って移動し、記録再生用の開口部５ａ，５ｂを開放し、記録再生可能な状態にする。
【００２８】
また、第２のディスクカートリッジ２は、図４に示すように、第１のディスクカートリッジ１と略同じ大きさに形成され、カートリッジ本体２ａの記録再生装置１０の挿脱口１２への挿入端となる他側縁２ｃの両側が面取りされ略円弧状に形成されている。なお、第２のディスクカートリッジ２に関し、上述の第１のディスクカートリッジ１と同一部材については、同一符号を付して詳細は省略する。この他側縁２ｃが略円弧状に形成されたカートリッジ本体２ａには、上述したように、従来の再生専用の光ディスクより高密度に情報信号がピットパターンによって記録されており、オーディオデータ等ではなく、静止画像データ、映像データ、ゲームソフト等のプログラムが記録された再生専用の光ディスク３ｂが回転可能に収納される。この第２のディスクカートリッジ２は、記録再生装置１０の挿脱口１２に、シャッタ部材７が取り付けられた一側縁２ｂに直交する略円弧状に形成された他側縁２ｃを挿入端として挿入される。なお、この第２のディスクカートリッジ２では、再生専用の光ディスク３ｂが用いられていることから、情報信号を記録するために必要な磁気ヘッド１３ｃ用の記録再生用の開口部５ａは設けられておらず、閉塞されており、下ハーフ側に光ピックアップ１３ｂ用の記録再生用開口部５ｂのみが設けられている。なお、例えば、光ディスク３ｂに、記録型の光磁気ディスクを用い、この光磁気ディスクにゲームソフトが記録されているときには、ゲームに関連する情報信号、例えばゲームの進行状況を示すセーブデータを光磁気ディスクに記録できるようにするため、磁気ヘッド１３ｃ用の記録再生用の開口部５ａを上ハーフ側に設けるようにしてもよい。
【００２９】
次に、第１のディスクカートリッジ１と第２のディスクカートリッジ２に用いられる光ディスクの詳細について説明する。
【００３０】
ここで説明する第１のディスクカートリッジ１に用いられる第１の光ディスク３ａは、光磁気ディスクであって、直径が略６４ｍｍで厚さが１．２ｍｍのポリカーボネート樹脂等の光透過性の合成樹脂基板にグルーブパターンを射出成形等により転写し、この合成樹脂基板であるディスク基板のグルーブパターンが形成された面側に光磁気記録層を形成し、この光磁気記録層上に反射層を形成し、更に、この反射層上に保護層を形成してなり、ディスク基板側から光ビームを照射して情報信号の再生を行い、また、ディスク基板側から光ビームを照射し、保護層側から外部磁界を印加することによって情報信号の記録が行われる。なお、これら光磁気ディスクのグルーブパターンは、絶対アドレスに応じて設けられている（ＡＤＩＰ：Ａｄｄｒｅｓｓ  ｉｎ  Ｐｒｅｇｒｏｏｖｅ）。
【００３１】
この第１のディスクカートリッジ１には、記録媒体として、従来からある標準的な記録密度の光磁気ディスクと、この光磁気ディスクより高密度記録の高密度記録光磁気ディスク１と、この光磁気ディスク１より更に高密度記録の光磁気ディスク２とが用いられる。これら３種類の光磁気ディスクは、略同形状の第１のディスクカートリッジ１に収納されるが、例えばカートリッジ本体１ａのコーナ部近傍に設けられた凹部等で構成された識別部によって収納された光磁気ディスクの種類を記録再生装置１０が判別することができるようにしている。
【００３２】
図５に示すように、これら３種類の光磁気ディスクは、使用する光ビームの波長を７８０ｎｍとし、光ピックアップ３ｂに用いる対物レンズの開口数（ＮＡ）を０．４５として、光ピックアップ１３ｂに用いる半導体レーザや対物レンズの部品の共通化を図ることができるようにしており、更には、共通の光ピックアップ１３ｂを用いることができるようにしている。
【００３３】
標準的な記録密度の光磁気ディスクは、ＡＴＲＡＣ（Ａｄｖａｎｃｅｄ  ＴＲａｎｓｆｏｒｍ  Ａｃｏｕｓｔｉｃ  Ｃｏｄｉｎｇ）等で圧縮し、ＡＣＩＲＣ（Ａｄｖａｎｃｅｄ  Ｃｒｏｓｓ  Ｉｎｔｅｒｌｅａｖｅ  Ｒｅｅｄ−Ｓｏｌｏｍｏｎ  Ｃｏｄｅ）等で誤り訂正符号化処理をしＥＦＭ（Ｅｉｇｈｔ  ｔｏ  Ｆｏｕｒｔｅｅｎ  Ｍｏｄｕｌａｔｉｏｎ）等で変調したオーディオデータ等を７４分又は８０分記録することができる記録容量を有する。具体的に、７４分のデータを記録することができる光磁気ディスクは、１６０ＭＢ程度の記録容量を有し、８０分のデータを記録することができる光磁気ディスクは、１８０ＭＢ程度の記録容量を有する。標準的な記録密度の光磁気ディスクは、ビット長を０．６μｍとし、最短マーク長を０．８５μｍとし、トラックピッチを１．６μｍ又は１．５μｍとすることで、上述の記録容量を実現している。また、標準的な記録密度の光磁気ディスクでは、データ転送速度が２．８Ｍｂｐｓ＠２．４ｍ／ｓとなっている。
【００３４】
また、高密度記録の光磁気ディスク１は、より訂正能力の高いＢＩＳ（Ｂｕｒｓｔ  ＩｎｄｉｃａｔｏｒＳｕｂｃｏｄｅ）付きのＲＳ−ＬＤＣ（Ｒｅｅｄ  Ｓｏｌｏｍｏｎ−Ｌｏｎｇ  Ｄｉｓｔａｎｃｅ  Ｃｏｄｅ）等で誤り訂正符号化処理をし高密度記録に適合したＲＬＬ（１−７）ＰＰ変調方式（ＲＬＬ；Ｒｕｎ  Ｌｅｎｇｔｈ  Ｌｉｍｉｔｅｄ、ＰＰ：Ｐａｒｉｔｙ  ｐｒｅｓｅｒｖｅ／Ｐｒｏｈｉｂｉｔ  ｒｍｔｒ（ｒｅｐｅａｔｅｄ  ｍｉｎｉｍｕｍ  ｔｒａｎｓｉｔｉｏｎ  ｒｕｎｌｅｎｇｔｈ））等で変調したオーディオデータ等を７４分又は８０分記録することができる記録容量を有する。具体的に、７４分のデータを記録することができる光磁気ディスクは、２８４ＭＢ程度の記録容量を有し、８０分のデータを記録することができる光磁気ディスクは、３０８ＭＢ程度の記録容量を有する。高密度記録の光磁気ディスク１は、ビット長を０．４４μｍとし、最短マーク長を０．５８μｍとし、トラックピッチを１．６μｍ又は１．５μｍとすることで、上述の記録容量を実現している。また、高密度記録の光磁気ディスク１では、データ転送速度が４．３７Ｍｂｐｓ＠２．４ｍ／ｓとなっている。
【００３５】
更に、高密度記録の光磁気ディスク１より更に高密度に情報信号が記録される光磁気ディスク２は、より訂正能力の高いＢＩＳ付きのＲＳ−ＬＤＣ等で誤り訂正符号化処理をし高密度記録に適合したＲＬＬ（１−７）ＰＰ変調方式等で変調したデータを１ＧＢ程度記録することができる。高密度記録の光磁気ディスク２は、ビット長を０．１６μｍとし、最短マーク長を０．２１μｍとし、トラックピッチを１．２５μｍとすることで、上述の記録容量を実現している。また、高密度記録の光磁気ディスク２では、データ転送速度が９．８３Ｍｂｐｓ＠１．９８ｍ／ｓとなっている。
【００３６】
なお、標準的な記録密度の光磁気ディスクや高密度記録の光磁気ディスク１は、ディスク回転駆動機構によって、ＣＬＶ（Ｃｏｎｓｔａｎｔ  Ｌｉｎｅａｒ  Ｖｅｌｏｃｉｔｙ）で回転されるが、高密度記録の光磁気ディスク２については、ＺＣＡＶ（Ｚｏｎｅ  Ｃｎｓｔａｎｔ  Ａｎｇｕｌａｒ  Ｖｅｌｏｃｉｔｙ）で回転される。また、高密度記録の光磁気ディスク２は、磁壁移動型超解像再生方式、いわゆるＤＷＤＤ（Ｄｏｍａｉｎ  Ｗａｌｌ  Ｄｉｓｐｌａｃｅｍｅｎｔ  Ｄｅｔｅｃｔｉｏｎ）でデータが記録される。なお、何れの光磁気ディスクに関しても、回転方式は、ＣＬＶ、ＺＣＡＶ、ＣＡＶ（Ｃｎｓｔａｎｔ  Ａｎｇｕｌａｒ  Ｖｅｌｏｃｉｔｙ）、ＺＣＬＶ（Ｚｏｎｅ  Ｃｏｎｓｔａｎｔ  Ｌｉｎｅａｒ  Ｖｅｌｏｃｉｔｙ）の何れも採用することもできる。
【００３７】
次に、第２のディスクカートリッジ２に用いられる光ディスク３ｂについて説明する。この光ディスク３ｂは、基本的に、再生専用の光ディスクであり、ポリカーボネート樹脂等の光透過性の合成樹脂基板に記録するデータに応じたピットパターンを射出成形等により転写し、２枚の合成樹脂基板であるディスク基板を貼り合わせて形成されてなるものであり一方の面側から光ビームを照射して情報信号の再生が行われる。
【００３８】
具体的に、図６に示すように、この光ディスク３ｂは、直径を６４ｍｍとし、上述の第１の光ディスク３ａと同じ大きさに形成され、また、詳細は後述するが基板厚も略１．２ｍｍとなっている。そして、この第１の光ディスク３ａは、ＤＶＤ（Ｄｉｇｉｔａｌ  Ｖｅｒｓａｔｉｌｅ  Ｄｉｓｃ）と類似の仕様となっている。すなわち、この光ディスク３ｂでは、使用する光ビームの波長を６５０ｎｍとし、光ピックアップ１３ｂに用いる対物レンズの開口数（ＮＡ）を０．６とし、ＤＶＤの光ピックアップの光学系と同じにしている。
【００３９】
光ディスク３ｂの記録エリアは、１６〜３０．５ｍｍである。この光ディスク３ｂには、記録層が１層のものと２層のものとがあり、１層の光ディスクの記録容量が１ＧＢで、２層の光ディスクの記録容量が２ＧＢとなっている。トラックピッチは、０．７４μｍであり、線密度は、０．２９μｍ／ｂｉｔであり、最短マーク長は、０．４４μｍとなっている。また、変調方式は、ＥＦＭｐｌｕｓ（８−１６変調）であり、誤り訂正方式は、リードソロモン積符号（ＲＳ−ＰＣ：Ｒｅｅｄ  Ｓｏｌｏｍｏｎ  Ｐｒｏｄｕｃｔ  Ｃｏｄｅ）となっている。すなわち、この光ディスク３ｂでは、ディスク径を除いて他の部分をＤＶＤと略同じになるように定められている。
【００４０】
また、この第１の光ディスク３ａには、ＭＰＥＧ（Ｍｏｖｉｎｇ  Ｐｉｃｔｕｒｅ  Ｃｏｄｉｎｇ  Ｅｘｐｅｒｔｓ  Ｇｒｏｕｐ／Ｍｏｖｉｎｇ  Ｐｉｃｔｕｒｅ  Ｅｘｐｅｒｔｓ  Ｇｒｏｕｐ）４等で圧縮された映像データやＡＴＲＡＣ３、ＡＴＲＡＣ３ｐｕｌｓ、ＰＣＭのオーディオデータ、更にはゲームソフト等のプログラムが記録される。
【００４１】
なお、この光ディスク３では、ピットパターンの深さを使用する光ビームの波長の１／４λから１／６λとし、トラッキングエラー信号をプッシュプル法で検出することができるようにし、上述した第１のディスクカートリッジ１の光ディスク３ａの一つであるピットパターンで情報信号が記録された再生専用の光ディスクの場合と同じにしている。
【００４２】
ところで、この光ディスク３ｂは、２枚のディスク基板を貼り合わせて形成される。具体的に、図７に示すように、光ディスク３ｂは、光透過性を有する第１の基板３１と第２の基板３２とを接着層３３を介して貼り合わせてなるものであり、記録層が一層のとき、第１の基板３１の第２の基板３２と対向する面に記録する情報信号に応じたピットパターンが射出成形等により転写され、記録層が２層のとき、第１の基板３１と第２の基板３２の互いに対向する面に記録する情報信号に応じたピットパターンが射出成形等により転写されている。
【００４３】
そして、第１の基板３１には、ピットパターンが形成された面上に、反射膜３１ａが形成される。また、第２の基板３２にも、ピットパターンを形成したとき、ピットパターンが形成された面上に、反射膜３２ａが形成される。接着層３３は、光ビームの焦点深度内に第１の記録層となる第１の基板３１のピットパターンと第２の記録層となる第２の基板３２のピットパターンとが位置しないような光学的に分離できる厚さに形成される。ここで、光ビームの照射面側となる第１の基板３１のピットパターン上に形成される反射膜３１ａは、第２の記録層となる第２の基板３２のピットパターンにも光ビームを照射する必要があるため、所定の光透過性を有する。中間層となる接着層３３により２枚の基板３１，３２が貼り合わされた光ディスク３ｂは、片面読み出しの記録媒体であり、第１の基板３１側から光ビームが照射され、対物レンズ３４によって第１の基板３１のピットパターンに合焦され反射膜３１ａによって反射され、これを光ピックアップ１３ｂが検出することによって、第１の基板３１にピットパターンによって記録された情報信号の読み出しが行われる。また、第２の基板３２のピットパターンの読み出しは、第１の基板３１及び反射膜３１ａを透過した光ビームが対物レンズ３４によって第２の基板３２のピットパターンに合焦され反射膜３２ａによって反射され反射層３１ａ及び第１の基板３１を透過した光ビームが光ピックアップ１３ｂで検出されることによって行われる。
【００４４】
この光ディスク３ｂは、上述した第１の光ディスク３ａとの互換性を図るため、第１の光ディスク３ａと厚さが略同じとなるように形成されている。すなわち、第１の光ディスク３ａの厚さが略１．２ｍｍであるため、光ディスク３ｂは、第１の基板の厚さｔ１と第２の基板３２の厚さｔ２の厚さを０．５±０．０２ｍｍとし、接着層３３の厚さを０．０５±０．０１ｍｍとしている。すなわち、この光ディスク３ｂは、第１の基板３１の厚さと第２の基板３２の厚さを０．５ｍｍとして、接着層３３を含めた全体の厚さを略１．０５ｍｍとし、１．２ｍｍに近づくようにしている。
【００４５】
なお、この光ディスク３ｂの面ぶれの許容範囲は、ＡＣ成分が±１５０μｍであり、ＤＣ成分を含めて±２００μｍとなっている。
【００４６】
従来のＤＶＤは、厚さ０．６ｍｍの基板を２枚貼り合わせて形成しているが、更に、光ディスク３ｂでは、第１の基板３１と第２の基板３２の厚さを０．５ｍｍとし、光ピックアップ１３ｂの小型化を図るようにしている。図８（Ａ）に示すように、第１のディスクカートリッジ１に用いられる第１の光ディスク３ａの一つである従来の標準的な記録密度に光磁気ディスクは、全体の厚さｔ３が１．２ｍｍである。また、この標準的な記録密度に光磁気ディスクに用いる光ビームＢ１の波長は、上述のように７８０ｎｍであり、対物レンズ３４の開口数は、０．４５となっている。このとき、標準的な記録密度の光磁気ディスクを介しないときの焦点深度Ｄ１は、１．６２ｍｍであり、対物レンズ３４と光ディスク３ｂとの距離であるワーキングディスタンスＷＤ１が０．８５ｍｍとなっている。
【００４７】
図８（Ｂ）に示すように、第２のディスクカートリッジ２に用いられる光ディスク３ｂは、第１の基板３１と第２の基板３２のそれぞれの厚さｔ２，ｔ３を０．６ｍｍとしたものである。また、ここで用いる光ピックアップ１３ｂは、標準的な光磁気ディスクに対応した波長が７８０ｎｍの光ビームＢ１を出射する光源と高密度記録の光ディスク３ｂに対応した波長が６５０ｎｍの光ビームＢ２を出射する光源と、更に開口絞りホログラムを備えた対物レンズ３４を備えている。そして、この光ピックアップ１３ｂは、標準的な記録密度の光ディスクの記録再生を行うとき、波長が７８０ｎｍの光ビームＢ１を出射し、対物レンズ３４の開口数を０．４５にして標準的な記録密度の光磁気ディスクに照射する。また、この光ピックアップ１３ｂは、高密度記録の光ディスク３ｂの再生を行うとき、波長が６５０ｎｍの光ビームＢ２を出射し、対物レンズ３４の開口数を０．６にして、光ディスク３ｂに照射する。この場合に、±１次光のスポット等は、トラッキングエラー信号やフォーカスエラー信号等を確実に検出することができるようにするため、光ディスク３ｂの表裏面等で共役点とならないようにする。なお、図８（Ｂ）では、０次光と±１次光のスポットの間隔は、０．３９ｍｍとする。光ディスク３ｂの再生を行うとき、対物レンズ３４の位置は、図８（Ａ）のときの対物レンズ３４の位置を示す基準線Ｌより間隔Ｃ１（０．１４ｍｍ）だけ光ディスク３ｂから離間し、ワーキングディスタンスＷＤ２が０．９９ｍｍとなり、図８（Ａ）の場合より光ディスク３ｂから離れてしまう。したがって、図８（Ａ）に示す標準的な記録密度の光磁気ディスクと図８（Ｂ）に示す光ディスク３ｂとの両方の光ディスクに対応する光ピックアップは、対物レンズ３４の光軸方向の移動量を大きくする必要があり、小型化を図ることが困難となる。
【００４８】
図８（Ｃ）に示す光ピックアップ１３ｂは、標準的な光磁気ディスクに対応した波長が７８０ｎｍを光ビームＢ１を出射する光源のみを有し、高密度記録の光ディスク３ｂに対応した波長が６５０ｎｍの光ビームＢ２を出射する光源を有していない。また、この光ピックアップ１３ｂは、開口絞りホログラムを備えた対物レンズ３４を備えている。この光ピックアップ１３ｂは、標準的な記録密度の光ディスクの記録再生を行うとき、波長が７８０ｎｍの光ビームＢ１を出射し、対物レンズ３４の開口数を０．４５にして標準的な記録密度の光磁気ディスクに照射する。また、この光ピックアップ１３ｂは、高密度記録の光ディスク３ｂの再生を行うときも、波長が７８０ｎｍの光ビームＢ１を出射し、対物レンズ３４の開口数を０．６にして、光ディスク３ｂに照射する。
【００４９】
光ディスク３ｂの再生を行うとき、対物レンズ３４の位置は、図８（Ａ）のときの対物レンズ３４の位置を示す基準線Ｌより間隔Ｃ２（０．３９ｍｍ）だけ光ディスク３ｂから離間し、ワーキングディスタンスＷＤ３が１．２４ｍｍとなり、図８（Ａ）や図８（Ｂ）の場合より光ディスク３ｂから離れてしまう。したがって、図８（Ａ）に示す標準的な記録密度の光磁気ディスクと図８（Ｃ）に示す光ディスク３ｂとの両方の光ディスクに対応する光ピックアップは、図８（Ｂ）の例より更に対物レンズ３４の光軸方向の移動量を大きくする必要があり、小型化を図ることが困難となる。
【００５０】
図８（Ｂ）に示す標準的な光磁気ディスクに対応した波長が７８０ｎｍを光ビームＢ１を出射する光源と高密度記録の光ディスク３ｂに対応した波長が６５０ｎｍの光ビームＢ２を出射する光源と、更に開口絞りホログラムを備えた対物レンズ３４を備えている光ピックアップ１３ｂは、図８（Ｃ）に示す標準的な光磁気ディスクに対応した波長が７８０ｎｍを光ビームＢ１を出射する光源と、更に開口絞りホログラムを備えた対物レンズ３４を備えている光ピックアップ１３ｂとを比較すると、対物レンズ３４の光軸方向の移動量を小さくすることができるが、図８（Ａ）に示す標準型の記録密度の光磁気ディスクに用いる光ピックアップ１３ｂよりは対物レンズ３４の光軸方向の移動量が大きくなっていまう。
【００５１】
そこで、図８（Ｄ）では、光ディスク３ｂを構成する第１の基板３１と第２の基板３２の厚さｔ１及びｔ２を上述のように、略０．５ｍｍにし、図８（Ｂ）に示した標準的な光磁気ディスクに対応した波長が７８０ｎｍを光ビームＢ１を出射する光源と高密度記録の光ディスク３ｂに対応した波長が６５０ｎｍの光ビームＢ２を出射する光源と、更に開口絞りホログラムを備えた対物レンズ３４を備えている光ピックアップ１３ｂを用いる。すると、光ディスク３ｂの再生を行うとき、対物レンズ３４の位置は、図８（Ａ）のときの対物レンズ３４の位置を示す基準線Ｌより間隔Ｃ３（０．０４ｍｍ）だけ光ディスク３ｂから離間した状態になるだけであり、ワーキングディスタンスＷＤ４を０．８９ｍｍとすることができ、図８（Ｂ）のときより対物レンズ３４の光軸方向の移動量を小さくし、光ピックアップ１３ｂの小型化を図ることができる。なお、光ディスク３ｂを構成する基板は、対物レンズ３４側の第１の基板３１の厚さｔ１を０．５ｍｍとすれば、第２の基板３２の厚さｔ２は、０．６ｍｍであってもよい。
【００５２】
ところで、第１のディスクカートリッジ１に用いる第１の光ディスク３ａは、厚さが略１．２ｍｍであり、第２のディスクカートリッジ２に用いる光ディスク３ｂは、ずん体の厚さが略１．０５ｍｍであり、厚さが異なる。記録再生装置１０のディスク回転駆動機構１３ａを２つの第１及び第２のディスクカートリッジ１，２で共通とするときには、回転する第１及び第２の光ディスク３ａ，３ｂの高さ方向の回転位置を同じにする必要がある。
【００５３】
ここで、図９（Ａ）は、第１のディスクカートリッジ１の要部断面図である。第１の光ディスク３ａは、中央部に、ディスク回転駆動機構１３ａを構成するディスクテーブル４１の中央に突出して設けられたセンタリング部４２が係合されるセンタ孔４３ａが設けられ、センタ孔４３ａの周囲の下面が、センタリング部４２の周囲に設けられたディスク支持部４４に支持される基準面４５ａとなっている。
【００５４】
図９（Ｂ）は、第２のディスクカートリッジ２の要部断面図である。図９（Ｂ）に示すように、光ディスク３ｂは、第１の光ディスク３ａより薄く形成されていることから、ディスクテーブル４１に光ディスク３ｂが装着されたときの位置が第１の光ディスク３ａのときよりも低くなってしまう。そこで、光ディスク３ｂでは、センタリング部４２が係合されるセンタ孔４３ｂの周囲を特に厚く形成し、第１の光ディスク３ａのときと、基準面４５ａ，４５ｂの高さを揃え、高さ方向の回転位置が同じになるようにしている。すなわち、光ディスク３ｂは、厚さが０．５ｍｍの第１の基板３１と第２の基板３２を、０．５ｍｍの接着層３３を介して貼り合わせ全体が１．０５ｍｍであり、厚さが１．２ｍｍの第１の光ディスク３ａより薄い。そこで、光ディスク３ｂは、センタ孔４３ｂの周囲では厚さが第１の光ディスク３ａと同じ１．２ｍｍとなるように各基板３１，３２を厚く形成するようにしている。これよって、光ディスク３ｂは、ディスクテーブル４１のセンタリング部４２にセンタ孔４３ｂが係合されクランピングプレート４が磁気吸引されて基準面４５ｂがディスク支持部４４に支持されたとき、第１の光ディスク３ａのときと同じ高さでディスクテーブル４１に支持されることになる。
【００５５】
また、図９（Ａ）及び図９（Ｂ）に示すように、カートリッジ本体１ａ，２ａ内には、回転可能に収納された第１及び第２の光ディスク３ａ，３ｂのがたつきを抑えるためのディスク押さえ部４６ａ，４６ｂ，４７ａ，４７ｂが設けられている。カートリッジ本体１ａ，２ａを構成する上ハーフの内面に設けられたディスク押さえ部４６ａ，４６ｂは、第１及び第２の光ディスク３ａ，３ｂが同じ高さでディスクテーブル４１によって回転支持されることから、第１及び第２の光ディスク３ａ，３ｂの内周側非信号記録領域に対応する位置に、同じ高さに形成されている。また、カートリッジ本体１ａ，２ａを構成する下ハーフの内面に設けられたディスク押さえ部４７ａ，４７ｂは、光ディスク３ｂが第１の光ディスク３ａより薄く形成されていることから、第１及び第２の光ディスク３ａ，３ｂの内周側非信号記録領域に対応する位置に、カートリッジ本体２ａのディスク押さえ部４７ｂの方がカートリッジ本体１ａのディスク押さえ部４７ａより高く形成されている。カートリッジ本体２ａでは、下ハーフ側のディスク押さえ部４７ｂを、光ディスク３ｂの薄型化に伴い高くすることで、非使用時における光ディスク３ｂのがたつきを抑えている。
【００５６】
なお、カートリッジ本体１ａ，２ａは、装着部１３に装着されたとき、装着部１３に対して垂直方向及び水平方向に位置決めするための複数の位置決め突起４８が設けられている。
【００５７】
ここで、以上のような第１及び第２のディスクカートリッジ１，２の記録再生を行う記録再生装置１０の回路構成を説明すると、図１０に示すように、この記録再生装置１０は、装置全体の制御を行うシステム制御部１０１と、第１及び第２のディスクカートリッジ１，２の記録再生を行う記録再生部１０２とからなり、システム制御部１０１と記録再生部１０２とは、それぞれ独立した集積回路チップで構成されている。
【００５８】
システム制御部１０１は、外部機器と接続される入出力インタフェース（以下、単に入出力Ｉ／Ｆという。）１１１と、音声データを可聴音に変換する処理を行う音声用プロセッサ１１２と、音声用プロセッサ１１２で処理するデータが一時的にロードされるＲＡＭ（Ｒａｎｄｏｍ  Ａｃｃｅｓｓ  Ｍｅｍｏｒｙ）１１３とが、ＳＳＢＵＳ（Ｓｌｏｗ  Ｓｙｓｔｅｍ  Ｂｕｓ）等の第１のバス１１４によって互いに接続されている。入出力Ｉ／Ｆ１１１には、操作部１５や外部接続されたキーボード、ジョイスティック等の操作装置が接続され、更には、ゲームのセーブデータ等を保存するＩＣカードが接続される。音声用プロセッサ１１２には、上述したイヤホン１８等の電気音響変換素子が接続される。また、この第１のバス１１４には、第１及び第２のディスクカートリッジ１，２の記録再生を行う記録再生部１０２が接続される。
【００５９】
また、システム制御部１０１は、全体の動作を制御するメインＣＰＵ（Ｃｅｎｔｒａｌ  Ｐｒｏｃｅｓｓｉｎｇ  Ｕｎｉｔ）１１５と、メインＣＰＵ１１５が処理するデータが一時的にロードされるワークＲＡＭ１１６とがローカルバス（Ｌｏｃａｌ  Ｂｕｓ）等の第２のバス１１７によって接続されている。第１のバス１１４と第２のバス１１７とは、ブリッジ回路１１９によって接続されている。
【００６０】
更に、システム制御部１０１は、第２のディスクカートリッジ２の光ディスク３ｂに記録された圧縮された映像データをデコードするＭＰＥＧデコーダ１１９と、外部機器とＵＳＢ（Ｕｎｉｖｅｒｓａｌ  Ｓｅｒｉａｌ  Ｂｕｓ）で接続するためのＵＳＢインタフェース（以下、単にＵＳＢＩ／Ｆという。）１２０と、装置本体１１の一方の主面部１１ａに設けられた表示部１４に表示する映像データ等の表示制御をするＧＰＵ（Ｇｒａｐｈｉｃｓ  Ｐｒｏｃｅｓｓｉｎｇ  Ｕｎｉｔ）と接続するためのＧＰＵインタフェース（以下、単にＧＰＵＩ／Ｆという。）１２１とが、ＡＨＢ（Ａｄｖａｎｃｅｄ  Ｈｉｇｈ−Ｐｅｒｆｏｒｍａｎｃｅ  Ｂｕｓ）等の第３のバス１２２によって接続されている。第２のバス１１７と第３のバス１２２とは、ブリッジ回路１２３によって接続されている。ＭＰＥＧデコーダ１１９は、第２のディスクカートリッジ２の光ディスク３ｂからＭＰＥＧ４で圧縮された映像データをデコードする。ＧＰＵＩ／Ｆ１２１には、ＧＰＵ１２４が接続され、ＧＰＵ１２４には、表示データが一時的にロードされるグラフィカルＲＡＭ１２５が接続されている。ＧＰＵ１２４で処理された表示データは、ＬＣＤドライバ１２５によって駆動されるＬＣＤで構成された表示部１４に表示される。
【００６１】
次に、記録再生装置１０を構成する記録再生部１０２の回路構成について、図１１を参照して説明する。この記録再生部１０２は、第１及び第２のディスクカートリッジ１，２の第１及び第２の光ディスク３ａ，３ｂが装着されるディスクテーブル４１がスピンドルに取り付けられ第１及び第２の光ディスク３ａ，３ｂの回転駆動源となるスピンドルモータ１３１と、回転される第１及び第２の光ディスク３ａ，３ｂの回転速度を検出するファンクションジェネレータ１３２と、回転する第１及び第２の光ディスク３ａ，３ｂに光ビームを照射し反射された戻りの光ビームを検出する上述の光ピックアップ１３ｂと、情報信号の記録時において記録データに応じた磁界を第１及び第２の光ディスク３ａ，３ｂに印加する磁気ヘッド１３ｃと、光ピックアップ１３ｂを第１及び第２の光ディスク３ａ，３ｂの径方向に移動するスレッド機構１３３と、光ピックアップ１３ｂに内蔵された光ビームを出射する半導体レーザを駆動するレーザドライバ１３４と、光ピックアップ１３ｂの光検出器で検出された光ビームを光電変換し増幅するＲＦアンプ１３５とを備える。
【００６２】
また、この記録再生部１０２は、再生系として、第１のディスクカートリッジ１に収納された第１の光ディスク３ａの一つである標準的記録密度の書換型の光磁気ディスクや再生専用の光ディスクに記録された情報信号の再生処理をする第１の再生処理部１３６と、第１のディスクカートリッジ１に収納された第１の光ディスク３ａである高密度記録の光磁気ディスク１，２に記録された情報信号の再生処理をする第２の再生処理部１３７と、第２のディスクカートリッジ２に収納された再生専用の光ディスク３ｂに記録された情報信号の再生処理をする第３の再生処理部１３８と、第１の再生処理部１３６、第２の再生処理部１３７、第３の再生処理部１３８の再生データ列を選択的に出力できるようにする再生セレクタ１３９とを備える。
【００６３】
更に、この記録再生部１０２は、記録系として、第１のディスクカートリッジ１に収納された第１の光ディスク３ａの一つである標準的記録密度の光磁気ディスクに情報信号を記録するとき記録データに対して記録処理を施す第１の記録処理部１４０と、第１のディスクカートリッジ１に収納された第１の光ディスク３ａである高密度記録の光磁気ディスク１，２に情報信号を記録するとき記録データに対して記録処理を施す第２の記録処理部１４１と、第１の記録処理部１４０、第２の記録処理部１４２からの出力を切り換える記録セレクタ１４２と、磁気ヘッド１３ｃを駆動する磁気ヘッドドライバ１４３とを備える。
【００６４】
更に、この記録再生部１０２は、ＡＤＩＰアドレス信号を復調するＡＤＩＰ復調部１４４と、対物レンズ３４のフォーカシングサーボ制御、トラッキングサーボ制御等を行うサーボ回路１４５と、記録再生するデータを一時的に格納するデータバッファ１４６と、第１及び第２の光ディスク３ａ，３ｂ等に記録されている情報信号の著作権保護をする著作権保護回路１４７と、全体の動作を制御するシステムコントローラ１４８とを備えている。
【００６５】
スピンドルモータ１３１は、そのスピンドルにディスク回転駆動機構１３ａを構成するディスクテーブル４１が一体的に取り付けられており、ディスクテーブルによってセンタリングが図られた状態で装着された第１及び第２の光ディスク３ａ，３ｂは、上述のようにＣＬＶ又はＺＣＡＶで回転される。具体的に、スピンドルモータ１３１は、第１の光ディスク３ａの一つである標準的記録密度の光磁気ディスク、高密度記録の再生専用の光ディスク３ｂをＣＬＶで回転し、第１の光ディスク３ａである高密度記録の光磁気ディスク１，２をＺＣＡＶで回転する。第１及び第２の光ディスク３ａ，３ｂの回転速度は、ファンクションジェネレータ１３２によって検出される。
【００６６】
光ピックアップ１３ｂは、第１及び第２の光ディスク３ａ，３ｂの記録面側に対向する位置に設けられている。光ピックアップ１３ｂには、記録及び再生時に、第１及び第２の光ディスク３ａ，３ｂの記録面に対してレーザ光である光ビームを照射する半導体レーザ１５１を有している。半導体レーザ１５１は、記録時には、記録トラックをキュリー温度まで加熱するために高レベルの光ビームを出力し、再生時には、磁気カー効果により反射光からデータを検出するために比較的低レベルの光ビームを出力する。半導体レーザ１５１の出力レベルの制御はレーザドライバ１３４により行われる。光ピックアップ１３ｂは、第１及び第２の光ディスク３ａ，３ｂに対して光ビームの照射及び反射光の検出をするための偏光ビームスプリッタ１５２や対物レンズ３４等の光学系を有している。光ピックアップ１３ｂは、第１及び第２の光ディスク３ａ，３ｂからの反射光量を検出するための光検出器１５３を有している。
【００６７】
光ピックアップ１３ｂには、第１及び第２の光ディスク３ａ，３ｂの記録トラックに対して直交する方向及び第１及び第２の光ディスク３ａ，３ｂに対して接近又は離間する方向の２つの方向に、対物レンズ３４を移動可能に保持する対物レンズ駆動機構となる２軸アクチュエータ１５４を有している。光ピックアップ１３ｂは、２軸アクチュエータ１５４によって対物レンズ４３を第１及び第２の光ディスク３ａ，３ｂの記録トラックに対して直交する方向に移動することにより、光ビームのスポットの位置を同方向に移動し、トラッキング制御を行う。また、光ピックアップ１３ｂは、２軸アクチュエータ１５４によって対物レンズ４３を第１及び第２の光ディスク３ａ，３ｂに対して接近又は離間する方向に移動することにより、光ビームの焦点位置を第１及び第２の光ディスク３ａ，３ｂの記録面から遠ざけたり近づけたりし、光ビームの焦点位置を第１及び第２の光ディスク３ａ，３ｂの記録面に対して一致させるフォーカシング制御を行う。
【００６８】
磁気ヘッド１３ｃは、第１及び第２の光ディスク３ａ，３ｂを挟んで光ピックアップ１３ｂの対物レンズ３４と対向する位置に設けられている。磁気ヘッド１３ｃは、記録時に、記録データによって変調された磁界を第１の光ディスク３ａに対して印加する。すなわち、第１のディスクカートリッジ１に用いられる第１の光ディスク３ａは、光磁気ディスクであり、この光磁気ディスクに対して情報信号を記録するとき、光磁気ディスクに対して近接し、記録データに応じた磁界を光磁気ディスクに対して印加する。なお、第２のディスクカートリッジ２に用いられる光ディスク３ｂは、ピットパターンによって情報信号が記録された再生専用の光ディスクであるから、磁気ヘッド１３ｂは用いられない。また、第１のディスクカートリッジ１の第１の光ディスク３ａを構成する光磁気ディスクの再生時も用いられない。したがって、磁気ヘッド１３ｃは、非使用時において、図示しない磁気ヘッド１３ｃの昇降機構によって第１及び第２の光ディスク３ａ，３ｂから離間した位置に移動される。
【００６９】
このような光ピックアップ１３ｂ及び磁気ヘッド１３ｃは、データの記録時には、高レベルの光ビームを出射して記録トラックをキュリー温度まで加熱し、記録データに応じて変調された磁界を第１の光ディスク３ａである光磁気ディスクに印加して、光磁気ディスクの光反射特性を変化させることによって、データを記録する。また、光ピックアップ１３ｂは、データの再生時には、キュリー温度まで加熱させない程度の低レベルの光ビームを目的のトラックに照射し、磁気カー効果により変化した特性を照射した光ビームの反射光から検出することによって、データを再生する。スレッド機構１３３は、光ピックアップ１３ｂと磁気ヘッド１３ｃとを共に、ディスク半径方向に移動させる。スレッド機構１３３は、光ピックアップ１３ｂ及び磁気ヘッド１３ｃを第１及び第２の光ディスク３ａ，３ｂの半径方向に移動することにより、光ピックアップ１３ｂ内の対物レンズ３４の視野範囲内に、記録又は再生を行うトラックを位置させる。
【００７０】
レーザドライバ１３４は、半導体レーザ１５１を駆動し、ＡＰＣ（Ａｕｔｏｍａｔｉｃ  Ｌａｓｅｒ  Ｐｏｗｅｒ  Ｃｏｎｔｒｏｌ）等により出力制御を行い、第１及び第２の光ディスク３ａ，３ｂの記録時と再生時における出力レベルの切り換えを行うと共に、半導体レーザ１５１が安定して所定出力の光ビームを出射するようにする。
【００７１】
ＲＦアンプ１３５には、光ピックアップ１３ｂの光検出器１５３が検出した第１及び第２の光ディスク３ａ，３ｂからの反射光に応じた光電流信号が入力される。ＲＦアンプ１３５は、入力された光電流信号に対して、電流−電圧変換、増幅処理、マトリクス演算処理等を行い、再生信号（ＲＦ信号）、トラッキングエラー信号（ＴＥ信号）、フォーカスエラー信号（ＦＥ信号）、アドレス信号（ＡＤＩＰ信号）並びに視野信号を生成して、これらの信号を出力する。
【００７２】
ＲＦ信号は、第１及び第２の光ディスク３ａ，３ｂに記録されているデータが示されている信号である。光磁気記録がされた第１の光ディスク３ａのＲＦ信号は、光ビームのスポット内の記録方向に対する前後の光量差に基づき生成される。また、ピットパターンでデータが記録された情報信号は、ピットの有無に基づく光量差に基づき生成される。
【００７３】
ＴＥ信号は、記録トラックに対して光ビームのスポットの位置が記録トラックに対して直交する方向にどれだけずれているかの位置ずれ量が示されている信号である。グルーブ若しくはランド又はピットパターンにより記録トラックが形成されている第１及び第２の光ディスク３ａ，３ｂのＴＥ信号は、記録トラックのエッジ成分の光量差を求めることにより生成される。例えば、ＴＥ信号は、プッシュプル法で生成される。
【００７４】
ＦＥ信号は、ディスク記録面と、光ビームの焦点位置との位置ずれ量を示す信号である。ＦＥ信号は、例えば非点収差法と呼ばれる方法で生成される。非点収差法によりＦＥ信号を生成する場合には、非点収差を生じさせるレンズを光ピックアップ１３ｂの光学系に設けておく。このようなレンズが設けられていると、焦点位置以外で光ビームが反射された場合には、そのスポット形状が完全な円形ではなく楕円となる。更に、焦点位置よりも前で光ビームが反射された場合と、焦点位置より後ろで光ビームが反射された場合とで、楕円の長径が９０°ずれる。したがって、非点収差法でＦＥ信号を生成する場合には、光ビームのスポットを上下左右に４分割し、対角方向の光量差を検出すればよい。
【００７５】
ＡＤＩＰ信号は、記録又は再生しているトラックの物理アドレスが示されている信号である。第１の光ディスク３ａには、記録トラックのウォブル成分にアドレス情報が変調されている。したがって、ＡＤＩＰ信号は、光ビームのスポットのディスク半径方向に対する揺れの信号成分（プッシュプル信号）に基づき生成される。
【００７６】
視野信号は、対物レンズ３４の位置が視野の中心位置からどれだけずれているかを示す信号である。視野の中心位置は、２軸アクチュエータ１５４が駆動されていない状態における対物レンズ３４の位置である。対物レンズ３４の記録トラックに対して直交する方向に対する位置ずれは、トラッキングサーボ制御が行われている状態で発生し、更に、プッシュプル信号の低周波成分に現れる。したがって、視野信号は、プッシュプル信号に対してローパスフィルタリングを行うことにより生成される。
【００７７】
第１の再生処理部１３６は、第１のディスクカートリッジ１に収納された第１の光ディスク３ａの一つである標準的記録密度の光磁気ディスクうや再生専用の光ディスクに記録された情報信号の再生処理をする。具体的に、第１の再生処理部１３６は、第１のディスクカートリッジ１に収納された第１の光ディスク３ａの一つである標準的記録密度の光磁気ディスクや再生専用の光ディスクの再生時に、ＲＦアンプ１３５から出力されたＲＦ信号が入力される。第１の再生処理部１３６は、コンパレータ１３６ａと、ＰＬＬ回路１３６ｂと、ＥＦＭ復調回路１３６ｃと、ＡＣＩＲＣデコード回路１３６ｄとを有している。入力されたＲＦ信号は、コンパレータ１３６ａ及びＰＬＬ回路１３６ｂによりクロック再生及び２値化された後、ＥＦＭ復調回路１３６ｃでＥＦＭ復調がされる。ＥＦＭ復調がされた再生信号のデータ列は、ＡＣＩＲＣデコード回路１３６ｄにより誤り訂正処理及びデインタリーブ処理がされる。
【００７８】
第２の再生処理部１３７は、第１のディスクカートリッジ１に用いる第１の光ディスク３ａの高密度記録の光磁気ディスク１，２の再生時に動作する。第２の再生処理部１３７は、高密度記録の光磁気ディスク１，２の再生時に、ＲＦアンプ１３５から出力されたＲＦ信号が入力される。第２の再生処理部１３７は、Ａ／Ｄコンバータ１３７ａと、イコライザ１３７ｂと、ＰＬＬ回路１３７ｃと、ビタビ復号回路１３７ｄと、１−７ＰＰ復調回路１３７ｅと、ＲＳ−ＬＤＣデコード回路１３７ｆとを有している。入力されたＲＦ信号は、Ａ／Ｄコンバータ１３７ａ、イコライザ１３７ｂ及びＰＬＬ回路１３７ｃでクロック再生及び２値化されたのち、ビタビ復号回路１３７ｄでビタビ復号される。ビタビ復号された再生信号のデータ列は、１−７ＰＰ復調回路１３７ｅによりＲＬＬ（１−７）復調がされ、ＲＳ−ＬＤＣデコード回路１３７ｆにより誤り訂正及びデインタリーブ処理がされる。
【００７９】
第３の再生処理部１３８は、第２のディスクカートリッジ２に収納された光ディスク３ｂに記録された情報信号の再生処理をする。具体的に、第３の再生処理部１３８は、コンパレータ１３８ａと、ＰＬＬ回路１３８ｂと、ＥＦＭｐｌｕｓ復調回路１３８ｃと、ＲＳ−ＰＣデコード回路１３８ｄとを有している。入力されたＲＦ信号は、コンパレータ１３８ａ及びＰＬＬ回路１３８ｂによりクロック再生及び２値化された後、ＥＦＭｐｌｕｓ復調回路１３８ｃで１６ビットのデータ列が８ビットのデータ列に復調される。ＥＦＭｐｌｕｓで復調がされた再生信号のデータ列は、ＲＳ−ＰＣデコード回路１３８ｄにより誤り訂正処理及びデインタリーブ処理がされる。
【００８０】
再生セレクタ１３９は、第１の再生処理部１３６、第２の再生処理部１３７、第３の再生処理部１３８とを選択的にデータバッファ１４６と接続する。具体的に、再生セレクタ１３９は、第１のディスクカートリッジ１に収納された第１の光ディスク３ａの一つである標準的記録密度の光磁気ディスクの再生を行うとき、ＡＣＩＲＣデコード回路１３６ｄに接続された端子１３９ａとデータバッファ１４６に接続された端子１３９ｄとを接続する。また、再生セレクタ１３９は、第１のディスクカートリッジ１に用いる第１の光ディスク３ａの高密度記録の光磁気ディスク１，２の再生を行うとき、ＲＳ−ＬＤＣデコード回路１３７ｆに接続された端子１３９ｂとデータバッファ１４６に接続された端子１３９ｄとを接続する。更に、再生セレクタ１３９は、第２のディスクカートリッジ２に収納された光ディスク３ｂの再生を行うとき、ＲＳ−ＰＣデコード回路１３８ｄと接続された端子１３９ｃとデータバッファ１４６に接続された端子１３９ｄとを接続する。
【００８１】
第１の記録処理部１４０は、第１のディスクカートリッジ１に収納された第１の光ディスク３ａの一つである標準的記録密度の光磁気ディスクに情報信号を記録するとき、データバッファ１４６から出力される記録データ列が入力される。第１の記録処理部１４０は、ＡＣＩＲＣエンコード回路１４０ａと、ＥＦＭ変調回路１４０ｂとを有している。入力された記録データ列は、ＡＣＩＲＣエンコード回路１４０ａによりインターリブ処理及び誤り訂正符号が付加され、ＥＦＭ変調回路１４０ｂによりＥＦＭ変調がされる。
【００８２】
第２の記録処理部１４１は、第１のディスクカートリッジ１に用いる第１の光ディスク３ａの高密度記録の光磁気ディスク１，２に情報信号を記録するとき、データバッファ１４６から出力される記録データ列が入力される。第２の記録処理部１４１は、ＲＳ−ＬＤＣエンコード回路１４１ａと、１−７ＰＰ変調回路１４１ｂとを有している。入力された記録データ列は、ＲＳ−ＬＤＣエンコード回路１４１ａによりインターリーブ及び畳み込み符号化がされ、１−７ＰＰ変調回路１４１ｂによりＲＬＬ（１−７）変調がされる。
【００８３】
記録セレクタ１４２は、第１の記録処理部１４０、第２の記録処理部１４２から磁気ヘッドドライバ１４３への出力を切り換える。具体的に、記録セレクタ１４２は、第１のディスクカートリッジ１に収納された第１の光ディスク３ａの一つである標準的記録密度の光磁気ディスクに情報信号を記録するとき、ＥＦＭ変調回路１４０ｂに接続された端子１４２ａと磁気ヘッドドライバ１４３に接続された端子１４２ｃとを接続する。また、記録セレクタ１４２は、第１のディスクカートリッジ１に用いる第１の光ディスク３ａの高密度記録の光磁気ディスク１，２に情報信号を記録するとき、１−７ＰＰ変調回路１４１ｂに接続された端子１４２ｂと磁気ヘッドドライバ１４３に接続された端子１４２ｃとを接続する。
【００８４】
磁気ヘッドドライバ１４３は、入力された記録データに応じて磁気ヘッド１３ｃを駆動し、磁気ヘッド１３ｃに記録データに応じて変調された磁界をディスクＤに印加させる。
【００８５】
ＡＤＩＰ復調部１４４は、ＲＦアンプ１３５から出力されたＡＤＩＰ信号が入力される。ＡＤＩＰ復調部１４４は、ＡＤＩＰ信号に対してバンドパスフィルタにより帯域制限をしてウォブル成分を抽出したのち、ＦＭ復調、バイフェーズ復調を行って、ＡＤＩＰアドレス信号を復調する。そして、ＡＤＩＰ復調部１４４は、第１及び第２の光ディスク３ａ，３ｂの記録又は再生時に、復調したＡＤＩＰアドレス信号から第１及び第２の光ディスク３ａ，３ｂの記録トラックの絶対アドレスをデコードし、デコードした絶対アドレスをシステムコントローラ１４８に供給する。
【００８６】
サーボ回路１４５は、ＲＦアンプ１３５から出力されたフォーカスエラー信号（ＦＥ信号）に基づき２軸アクチュエータ１５４を駆動して、光ビームの焦点位置を第１及び第２の光ディスク３ａ，３ｂに対して近接離間する方向に移動させるフォーカシングサーボ制御を行う。具体的には、サーボ回路１４５は、ＦＥ信号が０となるようにネガティブフィードバックが形成されたサーボループを形成して、２軸アクチュエータ１５４を駆動する。また、サーボ回路１４５は、ＲＦアンプ１３５から出力されたトラッキングエラー信号（ＴＥ信号）に基づき２軸アクチュエータ１５４を駆動して、光ビームの照射位置を第１及び第２の光ディスク３ａ，３ｂの記録トラックに直交する方向に移動させるトラッキングサーボ制御を行う。具体的には、サーボ回路１４５は、ＴＥ信号が０となるようにネガティブフィードバックが形成されたサーボループを形成して、２軸アクチュエータ１５４を駆動する。
【００８７】
サーボ回路１４５は、記録又は再生中のトラックのアドレス情報から算出された目標回転速度と、ファンクションジェネレータ１３２により検出された回転速度とに基づき、第１及び第２の光ディスク３ａ，３ｂが目的とする回転速度となるように、スピンドルモータ１３１を駆動する。
【００８８】
サーボ回路１４５は、システムコントローラ１４８から与えられるスレッド駆動指示に基づきスレッド機構１３３を駆動して、光ピックアップ１３ｂ及び磁気ヘッド１３ｃを所定の方向に移動させる。
【００８９】
データバッファ１４６は、記録再生装置１０と接続されるコンピュータ等のホスト機器との間でやり取りがされるデータを格納する。データバッファ１４６には、第１及び第２の光ディスク３ａ，３ｂから再生されたデータ、第１及び第２の光ディスク３ａ，３ｂよりに記録するデータ、並びに、各種の制御データが格納される。
【００９０】
著作権保護回路１４７は、他の記録媒体に第１及び第２の光ディスク３ａ，３ｂに記録された情報信号を複写するとき等に、ＲＦアンプ１３５で生成されたＲＦ信号の中から著作権保護情報を抽出し、抽出した著作権保護情報に基づいて複製等を許可又は禁止する。著作権保護回路１４７は、ＳＣＭＳ（Ｓｅｒｉａｌ  Ｃｏｐｙ  Ｍａｎａｇｅｍｅｎｔ  Ｓｙｓｔｅｍ）、ＣＧＭＳ（Ｃｏｐｙ  Ｇｅｎｅｒａｔｉｏｎ  Ｍａｎａｇｅｍｅｎｔ  Ｓｙｓｔｅｍ）等の著作権保護コードを抽出し、この抽出したコードに基づいて複写を許可し又は禁止する。更に、著作権保護回路１４７は、再生するデータが、ＣＳＳ（Ｃｏｎｔｅｎｔ  Ｓｃｒａｍｂｌｉｎｇ  Ｓｙｓｔｅｍ）、ＤＴＣＰ（Ｄｉｇｉｔａｌ  Ｔｒａｎｓｍｉｓｓｉｏｎ  Ｃｏｎｔｅｎｔ  Ｐｒｏｔｅｃｔｉｏｎ）等で保護されているとき、これをデコードする。更に、著作権保護回路１４７は、リージョナルコード等を抽出し、抽出したコードに基づいて再生等を許可し又は禁止する。
【００９１】
システムコントローラ１４８は、記録再生部１０２の全体の制御を行う。システムコントローラ１４８は、例えば記録時と再生時とで半導体レーザ１５１の光ビームのパワーの切り換え制御を行い、また、再生系の回路を使用するか、記録系の回路を使用するかの切り換えを行う。また、システムコントローラ１４８は、光ディスクの種類に応じて、再生セレクタ１３９や記録セレクタ１４２の切換制御を行う。また、システムコントローラ１４８は、視野信号を監視して、スレッド機構１３３の駆動制御を行う。
【００９２】
次に、以上のように構成された記録再生装置１０の全体の動作について説明する。図２に示すように、第１の光ディスク３ａを記録媒体に用いる第１のディスクカートリッジ１又は第２の光ディスク３ｂを記録媒体に用いる第２のディスクカートリッジ２は、カートリッジ本体１ａ，２ａの他側縁１ｃ，２ｃを挿入端として、装置本体１１の挿脱口１２より挿入される。第１及び第２のディスクカートリッジ１，２は、装置本体１１の挿脱口１２より挿入されると、装置本体１１に内蔵されたホルダに保持され、装置本体１１内に内蔵されたベースに設けられた装着部１３に装着される。このとき、第１及び第２のディスクカートリッジ１，２は、装着部１３に設けられた位置決め突起がカートリッジ本体１ａ，２ａに設けられた位置決め凹部に係合することによって、装着部１３に対して垂直方向及び水平方向に位置決めされた状態に装着される。また、第１及び第２のディスクカートリッジ１，２のシャッタ部材７は、装着部１３に装着されるとき、カートリッジ本体１ａ，２ａの一側縁に沿ってスライドし、記録再生用の開口部５ａ，５ｂを開放し、カートリッジ本体１ａ，２ａに収納された第１及び第２の光ディスク３ａ，３ｂを外方に臨ませ、記録又は再生が可能な状態にする。
【００９３】
第１及び第２のディスクカートリッジ１，２が装着部１３に装着されると、ディスク回転駆動機構１３ａを構成するディスクテーブル４１は、カートリッジ本体１ａ，２ａに設けられた中央開口部６よりが進入し、図９（Ａ）及び図９（Ｂ）に示すように、クランピングプレート４を磁気吸引する。これによって、第１及び第２の光ディスク３ａ，３ｂは、ディスクテーブル４１のセンタリング部４２によってセンタリングが図られ回転可能な状態となる。ここで、図９（Ａ）及び図９（Ｂ）に示すように、第２の光ディスク３ｂは、全体として第１の光ディスク３ａより薄いがセンタ孔４３ｂの周囲が第１の光ディスク３ａのセンタ孔４３ａの周囲と同じ厚さに形成されている。したがって、ディスクテーブル４１は、第１及び第２の光ディスク３ａ，３ｂを略同じ高さで回転可能に保持することができる。
【００９４】
また、第１及び第２のディスクカートリッジ１，２が装着されると、記録再生装置１０は、装着部１３に設けられた押圧型スイッチ等の検出スイッチで、第１及び第２のディスクカートリッジ１，２の種類、更には第１のディスクカートリッジ１に収納された第１の光ディスク３ａの種類を検出する。第１のディスクカートリッジ１は、全体が略矩形に形成され、第２のディスクカートリッジ２は、記録再生装置１０への挿入端となる他側縁２ｃの形状が略円弧状に形成されており、両者は、形状を異にする。装着部１３は、第１及び第２のディスクカートリッジ１，２の他側縁１ｃ，２ｃに対応する位置に、第１及び第２のディスクカートリッジ１，２の検出スイッチを設け、例えば第１のディスクカートリッジ１のときのみ押圧されるようにすることで、２種類のディスクカートリッジを識別することができる。また、第１のディスクカートリッジ１には、上述のように記録密度の異なる光磁気ディスクが複数種類収納される。記録再生装置１０は、第１の光ディスク３ａの種類に応じてカートリッジ本体１ａに設けられた一又は複数の識別凹部の有無を検出することによって、ユーザが目視によっては判別が困難な光磁気ディスクの種類を識別することができる。そして、検出スイッチが検出した検出結果は、図１１に示すシステムコントローラ１４８に入力される。
【００９５】
次に、第１のディスクカートリッジ１の第１の光ディスク３ａへの記録動作について説明する。記録データのソースは、例えば図１０に示すＵＳＢＩ／Ｆ１２０や入出力Ｉ／Ｆ１１１に接続されたパーソナル・コンピュータ、コンパクトディスクプレーヤ等の情報処理装置やマイクロフォンから入力される。記録再生部１０２は、図１１に示すように、再生セレクタ１３９をオフとし、記録セレクタ１４２を第１の光ディスク３ａの種類に応じて第１の記録処理部１４０、第２の記録処理部１４１の何れかと磁気ヘッドドライバ１４３とを接続する。
【００９６】
そして、ＵＳＢＩ／Ｆ１２０や入出力Ｉ／Ｆ１１１から入力された記録データは、図１１に示すデータバッファ１４６に入力され、第１の光ディスク３ａの種類に応じて第１の記録処理部１４０又は第２の記録処理部１４１の何れかに入力される。第１の光ディスク３ａの種類が標準的記録密度の光磁気ディスクであるとき、記録データは、第１の記録処理部１４０に入力され、第１の記録処理部１４０ＡＣＩＲＣエンコード回路１４０ａによりインターリブ処理及び誤り訂正符号が付加され、ＥＦＭ変調回路１４０ｂによりＥＦＭ変調がされ、ＥＦＭ変調回路１４０ｂと磁気ヘッドドライバ１４３とを接続した記録セレクタ１４２を介して磁気ヘッド１３ｃに入力される。また、高密度記録の光磁気ディスク１，２であるとき、記録データは、ＲＳ−ＬＤＣエンコード回路１４１ａによりインターリーブ及び畳み込み符号化がされ、１−７ＰＰ変調回路１４１ｂによりＲＬＬ（１−７）変調がされ、１−７ＰＰ変調回路１４１ｂと磁気ヘッドドライバ１４３とを接続した記録セレクタ１４２を介して磁気ヘッド１３ｃに入力される。
【００９７】
一方、ディスク回転駆動機構１３ａを構成するスピンドルモータ１３１は、ディスクテーブル４１に装着されている第１の光ディスク３ａが標準的な記録密度の光磁気ディスクや高密度記録の光磁気ディスク１であるとき、ＣＬＶで回転し、高密度記録の光磁気ディスク２であるとき、ＺＣＡＶで回転する。そして、光ピックアップ１３ａは、記録レベルの光ビームを半導体レーザ１５１より出射し、第１の光ディスク３ａに照射し、局所的にキュリー温度まで加熱する。第１の光ディスク３ａには、第１の光ディスク３ａに近接した状態にある磁気ヘッド１３ｃによって、キュリー温度まで加熱された箇所に記録データに応じた磁界が印加され、情報信号が記録される。特に、最も高密度に情報信号が記録される光磁気ディスク２は、記録時、ＤＷＤＤで情報信号が記録される。
【００９８】
第１の光ディスク３ａの記録時において、サーボ回路１４５は、ＲＦアンプ１３５から入力されたＦＥ信号が０となるようにネガティブフィードバックが形成されたサーボループを形成して、２軸アクチュエータ１５４を駆動する。また、サーボ回路１４５は、ＲＦアンプ１３５から入力されたトラッキングエラー信号（ＴＥ信号）に基づき２軸アクチュエータ１５４を駆動して、光ビームの照射位置を第１の光ディスク３ａの記録トラックに直交する方向に移動させるトラッキングサーボ制御を行う。
【００９９】
次に、第１及び第２のディスクカートリッジ１，２の再生動作について説明する。システムコントローラ１４８は、装着部１３に設けられた検出スイッチからの入力に応じてディスクカートリッジの種類や第１のディスクカートリッジ１の第１の光ディスク３ａの種類を検出し、検出結果に基づいて、記録セレクタ１４２をオフとし、再生セレクタ１３９を、ディスクカートリッジの種類や第１の光ディスク３ａの種類に応じて第１の再生処理部１３６、第２の再生処理部１３７、第３の再生処理部１３８の何れかとデータバッファ１４６とを接続する。
【０１００】
第１のディスクカートリッジ１に収納された第１の光ディスク３ａを再生するとき、トラックナンバ等が操作部１５や遠隔操作装置１６の操作部１６ａによって指定されると、光ピックアップ１３ｂは、指定された記録トラックまでスレッド機構１３３により第１の光ディスク３ａの径方向に移動される。そして、光ピックアップ１３ｂは、半導体レーザ１５１より再生レベルの光ビームを第１の光ディスク３ａに照射し、反射された戻りの光ビームを光検出部１５３で検出し、フォーカスサーボ制御やトラッキングサーボ制御を行う。
【０１０１】
第１のディスクカートリッジ１に収納された第１の光ディスク３ａの一つである標準的記録密度の光磁気ディスクを再生するとき、ＲＦアンプ１３５で生成されたＲＦ信号は、コンパレータ１３６ａ及びＰＬＬ回路１３６ｂによりクロック再生及び２値化された後、ＥＦＭ復調回路１３６ｃでＥＦＭ復調がされる。ＥＦＭ復調がされた再生信号のデータ列は、ＡＣＩＲＣデコード回路１３６ｄにより誤り訂正処理及びデインタリーブ処理がされ、ＡＣＩＲＣデコード回路１３６ｄとデータバッファ１４６とを接続した再生セレクタ１３９を介してデータバッファ１４６に出力される。
【０１０２】
また、第１のディスクカートリッジ１に用いる第１の光ディスク３ａの高密度記録の光磁気ディスク１，２を再生するとき、ＲＦアンプ１３５で生成されたＲＦ信号は、Ａ／Ｄコンバータ１３７ａ、イコライザ１３７ｂ及びＰＬＬ回路１３７ｃでクロック再生及び２値化されたのち、ビタビ復号回路１３７ｄでビタビ復号される。ビタビ復号された再生信号のデータ列は、１−７ＰＰ復調回路１３７ｅによりＲＬＬ（１−７）復調がされ、ＲＳ−ＬＤＣデコード回路１３７ｆにより誤り訂正及びデインタリーブ処理がされ、ＲＳ−ＬＤＣデコード回路１３７ｆとデータバッファ１４６とを接続した再生セレクタ１３９を介してデータバッファ１４６に出力される。
【０１０３】
データバッファ１４６より出力された再生データは、例えばオーディオデータ等の音声データであるとき、図１０に示す音声プロセッサ１１２等で圧縮されているデータを伸長し、イヤホン１８等の電気音響変換素子より放音される。また、画像データやテキストデータは、装置本体１１に設けられた表示部１４や遠隔操作装置１６に設けられた小型の表示部１６ｂに表示される。
【０１０４】
第２のディスクカートリッジ２に収納された第２の光ディスク３ｂを再生するとき、操作部１５や遠隔操作装置１６の操作部１５よりトラックナンバが入力され、また、入出力Ｉ／Ｆ１１１に接続されたＩＣカードよりゲームの経過データであるセーブデータ等が入力されると、光ピックアップ１３ｂは、指定された記録トラックまでスレッド機構１３３により第１の光ディスク３ａの径方向に移動される。そして、光ピックアップ１３ｂは、半導体レーザ１５１より再生レベルの光ビームを第１の光ディスク３ａに照射し、反射された戻りの光ビームを光検出部１５３で検出し、フォーカスサーボ制御やトラッキングサーボ制御を行う。
【０１０５】
そして、ＲＦアンプ１３５で生成されたＲＦ信号は、コンパレータ１３８ａ及びＰＬＬ回路１３８ｂによりクロック再生及び２値化された後、ＥＦＭｐｌｕｓ復調回路１３８ｃで１６ビットのデータ列が８ビットのデータ列に復調がされる。ＥＦＭｐｌｕｓで復調がされた再生信号のデータ列は、ＲＳ−ＰＣデコード回路１３８ｄにより誤り訂正処理及びデインタリーブ処理がされ、ＲＳ−ＰＣデコード回路１３８ｄとデータバッファ１４６とを接続した再生セレクタ１３９を介してデータバッファ１４６に出力される。
【０１０６】
データバッファ１４６より出力された再生データは、例えばゲームソフトを構成する映像データ、画像データ、音声データ等であり、ＭＰＥＧデコーダ１１９に出力される。そして、これらの再生データは、ＭＰＥＧデコーダ１１９でデコードされた後、映像データや画像データは、ＧＰＵＩ／Ｆ１２１を介してＧＰＵ１２４及びグラフィカルＲＡＭ１２５で画像処理が施された後、装置本体１１に設けられた大型の表示部１４に表示される。また、音声データは、図１０に示す音声プロセッサ１１２を介してイヤホン１８等の電気音響変換素子より放音される。
【０１０７】
図１に示すように、ユーザは、第２のディスクカートリッジ２に記録されているゲームソフトを再生しているとき、装置本体１１を手で把持して大型の表示部１４に表示された映像を見ながら、更にイヤホン１８で音声データを聞きながら装置本体１１の表示部１４の近傍に設けられた操作部１５を構成する十時キー１５ａや丸釦１５ｂを用いて表示部１４に表示されたキャラクターを上下左右に移動させ、また、ゲームの進行を選択決定することができる。なお、ゲーム操作は、操作部１５の他に、遠隔操作装置１６の操作部１６ａを用いて行うようにしてもよい。
【０１０８】
以上のように構成された記録再生装置１０では、装置本体１１の一方の主面部１１ａに、大型の表示部１４を設け、この表示部１４に画像や映像を表示できるようにしたので、ゲーム等を行うことができる。すなわち、従来の携帯型の記録再生装置は、テキストデータを表示することを目的とした小型の表示部が装置本体の一方の主面部１１ａに設けられているのみで、この表示部に画像、映像全体を一度に表示することができなかったが、記録再生装置１０では、大型の表示部１４を設けたことで、映像、画像全体を一度に表示させることができ、ユーザは、記録再生部１０を携帯しながらディスクカートリッジに記録されたゲームソフト等のコンテンツデータを楽しむことができる。なお、ゲームを途中でやめるとき、記録再生装置１０は、ゲームの経過データであるセーブデータ等を生成し、生成したセーブデータ等を入出力Ｉ／Ｆ１１１に接続されたＩＣカードに保存することができる。
【０１０９】
また、この記録再生装置１０は、複数の再生処理部１３６，１３７，１３８を備えることで、異なる仕様の光ディスクを再生することができる。例えば、記録再生装置１０は、既存の仕様の光ディスクに加え、第２の光ディスク３ｂといった新規な記録媒体の再生も行うことができる。
【０１１０】
なお、以上の例では、第２のディスクカートリッジ２に用いるゲームソフト等を記録する第２の光ディスク３ｂをピットパターンで記録した再生専用の光ディスクとして説明したが、セーブデータ等を記録するため、少なくとも一部に記録領域を設けるようにしてもよい。この場合、例えば、第２の光ディスク３ｂの内周側や外周側の一部にグルーブを設け、相変化記録等を行うことができるようにし、半導体レーザ１５１が相変化記録可能な高出力で光ビームを出射するようにすればよい。また、記録再生部１０２には、第１の記録処理部１４１、第２の記録処理部１４２と並列に、第３の記録処理部を設ける。この第３の記録処理部には、データバッファ１４６に接続されるＲＳ−ＰＣエンコーダと、このＲＳ−ＰＣエンコード回路に接続されるＥＦＭｐｌｕｓ変調回路を設け、このＥＦＭｐｌｕｓ変調回路を記録セレクタ１４２を介して磁気ヘッドドライバ１４３に接続されるようにすればよい。
【０１１１】
また、以上の記録再生装置１０では、第１のディスクカートリッジ１と第２のディスクカートリッジ２の両方が装着部１３に装着可能な例を説明したが、本発明は、ゲームソフト等の画像データや映像データを有するコンテンツデータを記録する第２の光ディスク３ｂを記録媒体とする第２のディスクカートリッジ２のみを装着可能な装置としてもよい。図１２に示すように、第２のディスクカートリッジ２は、記録再生装置１０への挿入端となる他側縁２ｃを略円弧状に形成されている。そこで、記録再生装置１０の装着部１３には、第２のディスクカートリッジ２の他側縁２ｃの形状に対応した規制部１６０を突出するようにして設けるようにすればよい。これによって、例えば全体が略矩形の第１のディスクカートリッジ１を他側縁１ｃを挿入端として記録再生装置１０の挿脱口１２より挿入すると、規制部１６０が記録再生装置１０への挿入端となる他側縁１ｃに突き当たることとなり、装着部１３に装着されないことになり、ユーザも第１のディスクカートリッジ１が使用不可の記録媒体であることを容易に認識することができる。
【０１１２】
以上のように、記録再生装置１０を専ら第２のディスクカートリッジ２の専用機としたときには、第１のディスクカートリッジ１に関連する第１の再生処理部１３６、第２の再生処理部１３７、第１の記録処理部１４１及び第２の記録処理部１４２を設ける必要はなく、記録再生部１０２には、第３の再生処理部１３８や上述の第３の記録処理部を設けるだけでよい。
【０１１３】
また、以上の例では、第１のディスクカートリッジ１の光ディスク３ａとして、オーディオデータ等が記録された再生専用の光ディスクやユーザによって所望のオーディオデータが記録された光磁気ディスク、更には、従来の光磁気ディスクより高密度に情報信号を記録することができる光磁気ディスクを用い、第２のディスクカートリッジ２の光ディスク３ｂとして、従来の再生専用の光ディスクより高密度に情報信号がピットパターンによって記録された再生専用の光ディスクを用いた例を説明したが、これら光ディスク３ａ，３ｂの種類としては、相変化材料を記録層に用いる書換型の光ディスクや記録層に有機色素を用いる追記型の光ディスクであってもよい。更に、記録媒体としては、ディスクカートリッジの他、光ディスク単体、テープカートリッジ、ＩＣカード等であってもよい。
【０１１４】
【発明の効果】
本発明によれば、機器本体の一主面部の大きさが記録媒体と略同じとされた小型の携帯型電気機器において、機器本体の主面部のほぼ全領域に亘って表示部を設けたので、静止画像データや映像データ等の全体をスクロール等をすることなく、一度に見ることができる。
【図面の簡単な説明】
【図１】本発明を適用した携帯型記録再生装置の使用状態を説明する斜視図である。
【図２】上記携帯型記録再生装置の斜視図である。
【図３】上記携帯型記録再生装置に用いる第１のディスクカートリッジの斜視図である。
【図４】上記携帯型記録再生装置に用いる第２のディスクカートリッジの斜視図である。
【図５】図３に示した第１のディスクカートリッジに用いる光ディスクの仕様を説明する図である。
【図６】図４に示した第２のディスクカートリッジに用いる光ディスクの仕様を説明する図である。
【図７】基板を２枚貼り合わせて構成された光ディスクの要部断面図である。
【図８】（Ａ）〜（Ｄ）は、光ディスクと光ピックアップとの関係を説明する図である。
【図９】（Ａ）は、第１のディスクカートリッジの要部断面図であり、（Ｂ）は、第２のディスクカートリッジの要部断面図である。
【図１０】本発明を適用した記録再生装置の全体構成を示すブロック図である。
【図１１】第１及び第２のディスクカートリッジの記録再生を行う記録再生部を説明するブロック図である。
【図１２】第２のディスクカートリッジのみ装着を可能とする装着部を説明する斜視図である。
【符号の説明】
１  第１のディスクカートリッジ、２  第２のディスクカートリッジ、３ａ  第１の光ディスク、３ｂ  第２の光ディスク、１０  記録再生装置、１１  装置本体、１１ａ  主面部、１２  挿脱口、１３  装着部、１３ａ  ディスク回転駆動機構、１３ｂ  光ピックアップ、１３ｃ  磁気ヘッド、１４  表示部、１５  操作部、１６  遠隔操作装置、１８  イヤホン、３１  第１の基板、３２  第２の基板、３３  接着層、３４  対物レンズ、４１  ディスクテーブル、４２  センタリング部、４３ａ，４３ｂ  センタ孔、４４  ディスク支持部、４５ａ，４５ｂ  基準面、４６ａ，４６ｂ  ディスク押さえ部、４７ａ，４７ｂ  ディスク押さえ部
【図１】
2004335034.tif 000003
【図２】
2004335034.tif 000004
【図３】
2004335034.tif 000005
【図４】
2004335034.tif 000006
【図５】
2004335034.tif 000007
【図６】
2004335034.tif 000008
【図７】
2004335034.tif 000009
【図８】
2004335034.tif 000010
【図９】
2004335034.tif 000011
【図１０】
2004335034.tif 000012
【図１１】
2004335034.tif 000013
【図１２】
2004335034.tif 000014